(57)【要約】【課題】フックピースを省略することで、蓋体の係合爪が折損等したり、不用意に開蓋して化粧料で周囲の他物を汚したりすることがなく、しかも、部品点数の少ない化粧料容器を提供する。【解決手段】上面に化粧皿収容凹部１ａが形成された容器本体１と、この容器本体１の上面を蓋する蓋体２とを備えている。そして、上記容器本体１の一端部に係合凸部１４ａが形成され、上記蓋体２の一端部に、上記係合凸部１４ａに着脱自在に係合する係合爪２ａが形成された化粧料容器であって、上記容器本体１の一端部に可撓性を持たせ、開蓋時に上記容器本体１の一端部を他端側に押圧して撓ませることにより上記係合を外すように構成している。【選択図】図２
2007185279.tif 000002
【特許請求の範囲】
【請求項１】
上面に化粧料収容部が形成された容器本体と、この容器本体の上面を蓋する蓋体とを備え、上記容器本体の一端部に係合部が形成され、上記蓋体の一端部に、上記係合部に着脱自在に係合する被係合部が形成された化粧料容器であって、上記容器本体の一端部に可撓性を持たせ、開蓋時に上記容器本体の一端部を他端側に押圧して撓ませることにより上記係合を外すように構成したことを特徴とする化粧料容器。
【請求項２】
上記容器本体の一端部に、この容器本体の他端側に向かって下り傾斜状に傾斜する傾斜面が形成され、上記傾斜面に対応する上記蓋体の一端部に、上記傾斜面に摺接する被傾斜面が形成されている請求項１記載の化粧料容器。
【請求項３】
上記容器本体の一端部が、上記係合部を備えた板状体と、この板状体の一側面から延設され上記板状体を支受する支受板とからなり、この支受板に穴を穿設することにより上記板状体に可撓性を持たせるように構成した請求項１または２記載の化粧料容器。
【請求項４】
上記容器本体の一端部が、上記係合部を備えた板状体からなり、この板状体の一部を切欠き形成することにより上記板状体に可撓性を持たせるように構成した請求項１または２記載の化粧料容器。
【請求項５】
上記容器本体の一端部が、上記係合部を備えた板状体からなり、この板状体を薄肉に形成定することにより上記板状体に可撓性を持たせるように構成した請求項１または２記載の化粧料容器。
【発明の詳細な説明】
【技術分野】
【０００１】
本発明は、化粧料容器に関するものである。
【背景技術】
【０００２】
従来から、ファンデーション等の化粧料を収容する各種の化粧料容器として、図１７に示すようなコンパクト容器が提案されている。このコンパクト容器は、上面に化粧皿収容凹部５１ａが形成された容器本体５１と、この容器本体５１の上面を蓋する蓋体５２と、開蓋用のフックピース５３とを備えており、上記容器本体５１の前端部中央に、奥面に係合突起５４ａが突設された切欠き凹部５４を形成し、この切欠き凹部５４にフックピース５３を回動自在に固定している。また、上記蓋体５２の前端部中央から、上記係合突起５４ａに着脱自在に係合する係合爪５２ａを垂設している。そして、閉蓋時には上記係合突起５４ａと係合爪５２ａとの係合により閉蓋状態を保持し、開蓋時にはフックピース５３の下部を奥側に押圧してフックピース５３を回動させることにより、上記係合を解除するようにしている。
【発明の開示】
【発明が解決しようとする課題】
【０００３】
しかしながら、上記のコンパクト容器では、容器本体５１の係合突起５４ａ，蓋体５２の係合爪５２ａおよびフックピース５３の構造が複雑で、成形による寸法誤差が生じやすい。そのため、上記係合が強固になりすぎて開蓋しにくいものや、緩すぎて簡単に開蓋しすぎるものができる。特に上記係合が強固なコンパクト容器では、蓋体５２の開閉を繰り返すと、係合爪５２ａに無理な力が加わって材質疲労が蓄積し、使用途中で係合爪５２ａが折損等するという事態が生じる。また、上記係合が緩すぎて簡単に開蓋するコンパクト容器では、バッグ等に入れて携帯している際に、不用意に開蓋して化粧料でバッグ等の内部を汚すという事態を生じたりする。しかも、容器本体５１，蓋体５２およびフックピース５３の３部品が必要であり、部品点数が多く、在庫管理等の管理面が煩雑になる。
【０００４】
本発明は、このような事情に鑑みなされたもので、フックピースを省略することで、蓋体の係合爪が折損等したり、不用意に開蓋して化粧料で周囲の他物を汚したりすることがなく、しかも、部品点数の少ない化粧料容器の提供をその目的とする。
【課題を解決するための手段】
【０００５】
上記の目的を達成するために、本発明の化粧料容器は、上面に化粧料収容部が形成された容器本体と、この容器本体の上面を蓋する蓋体とを備え、上記容器本体の一端部に係合部が形成され、上記蓋体の一端部に、上記係合部に着脱自在に係合する被係合部が形成された化粧料容器であって、上記容器本体の一端部に可撓性を持たせ、開蓋時に上記容器本体の一端部を他端側に押圧して撓ませることにより上記係合を外すように構成したという構成をとる。
【発明の効果】
【０００６】
すなわち、本発明の化粧料容器は、上面に化粧料収容部が形成された容器本体と、この容器本体の上面を蓋する蓋体とを備え、上記容器本体の一端部に係合部が形成され、上記蓋体の一端部に、上記係合部に着脱自在に係合する被係合部が形成された化粧料容器であり、上記容器本体の一端部に可撓性を持たせ、開蓋時に上記容器本体の一端部を他端側に押圧して撓ませることにより上記係合を外すように構成している。このように、本発明の化粧料容器では、その容器本体の一端部を他端側に押圧して撓ませることにより、上記容器本体の一端部に形成された係合部と、上記蓋体の一端部に形成された被係合部との係合を外して開蓋することができるため、従来用いていた開蓋用のフックピースを省略することができる。したがって、開蓋のための構造が簡単化し、成形による寸法誤差が生じにくくなる。そのため、上記係合が強固になりすぎて開蓋しにくいものや、緩すぎて簡単に開蓋しすぎるものができなくなり、上記両係合部が折損等したり、不用意に開蓋して化粧料で周囲の他物を汚したりするという事態を招くことがなくなる。しかも、上記したように開蓋用のフックピースを省略することができるため、その分部品点数が少なくなり（容器本体，蓋体の２部品だけでよくなり）、在庫管理等の管理面が簡素化する。
【０００７】
また、上記容器本体の一端部に、この容器本体の他端側に向かって下り傾斜状に傾斜する傾斜面が形成され、上記傾斜面に対応する上記蓋体の一端部に、開蓋時に上記傾斜面に摺接する被傾斜面が形成されていると、開蓋時に上記容器本体の一端部の傾斜面に蓋体の一端部の被傾斜面が摺接しながら斜め上向きに移動し、これに伴って上記蓋体が上方に回動して上記容器本体から少し離れるため、（手指で蓋体の一端部を持ち上げる）開蓋操作がしやすくなる。
【０００８】
また、上記容器本体の一端部が、上記係合部を備えた板状体と、この板状体の一側面から延設され上記板状体を支受する支受板とからなり、この支受板に穴を穿設することにより上記板状体に可撓性を持たせるように構成すると、上記支受板に穴を穿設しただけの簡単な構造で上記板状体に可撓性を持たせることができる。
【０００９】
また、上記容器本体の一端部が、上記係合部を備えた板状体からなり、この板状体の一部を切欠き形成することにより上記板状体に可撓性を持たせるように構成すると、上記板状体の一部を切欠き形成しただけの簡単な構造で上記板状体に可撓性を持たせることができるうえ、上記容器本体の底壁等に穴を穿設するための余分のスペースを必要とせず、コンパクトな構造になる。
【００１０】
また、上記容器本体の一端部が、上記係合部を備えた板状体からなり、この板状体を薄肉に形成定することにより上記板状体に可撓性を持たせるように構成すると、上記板状体を薄肉に形成しただけの簡単な構造で上記板状体に可撓性を持たせることができるうえ、上記板状体を薄肉に形成する分コンパクトになる。
【発明を実施するための最良の形態】
【００１１】
つぎに、本発明の実施の形態を図面にもとづいて詳しく説明する。ただし、これに限定されるわけではない。
【００１２】
図１は本発明の化粧料容器の一実施の形態を示している。この実施の形態では、上記化粧料容器は、合成樹脂製の容器本体１と、この容器本体１の上面を蓋する合成樹脂製の蓋体２と、内部にファンデーション等の化粧料４が充填された金属製もしくは合成樹脂製の化粧皿３とで構成されている。図１において、５は上記蓋体２の裏面に貼着された鏡である。
【００１３】
上記容器本体１は、平面視略四角形状の皿状体に形成されており、その上面には、上記化粧皿３を着脱自在に収容する平面視略四角形状の化粧皿収容凹部（化粧料収容部）１ａが形成されている。すなわち、上記皿状体を構成する略四角形環状の周側壁１１の内部空間が上記化粧皿収容凹部１ａに形成されている。
【００１４】
上記周側壁１１のうちの前側壁（板状体）１１ａは、図２〜図４に示すように、その左右方向中央部分の上側部分が後側に向かって平面視略コ字状に凹入形成されており、このコ字状壁１２と、このコ字状壁１２の下端開口を閉塞する底壁１３とで、その内周部に、上記前側壁１１ａの前面およびこれに続く上面が開口する前側切欠き凹部１４が切欠き形成されている。そして、この前側切欠き凹部１４の奥面（すなわち、上記底壁１３の後端部から立設される、上記コ字状壁１２のコ字状の後側壁１２ａの外側面）に、閉蓋時に上記蓋体２の係合爪２ａ（図１参照）に着脱自在に係合する係合凸部１４ａが突設されている（図５参照）。
【００１５】
また、上記コ字状壁１２のコ字状の左右両側壁１２ｂは、その上端面が、その前端（すなわち、上記前側壁１１ａの上端面後端）から後方に向かって下り傾斜状に傾斜する傾斜面１２ｃに形成されており、この傾斜面１２ｃが閉蓋時に上記蓋体２の傾斜面１９ａに摺接している（図６参照）。
【００１６】
また、上記容器本体１は、その底壁（支受板）１５の前端部が、その左右方向の全幅にわたって、かつ上記底壁１５の前端（上記前側壁１１ａの後側面下端）から後方に向かって所定の距離だけ切欠き形成されており、この切欠き穴部１５ａにより上記前側壁１１ａが可撓性を持ち、後方に（上記切欠き穴部１５ａ内に）撓みうるようにしている。また、上記切欠き穴部１５ａは、上記容器本体１に化粧皿３を収容，固定したときに、上記容器本体１の前側壁１１ａと化粧皿３との間に形成される隙間に対応した部分に形成されている。
【００１７】
また、上記周側壁１１には、その後側壁１１ｂの左右方向中央部分に、その後面および上下両側面が開口する後側切欠き凹部１６が切欠き形成されており、この後側切欠き凹部１６に、上記蓋体２の後端部から垂設される連結部１８が連結ピン（図示せず）を介してヒンジ連結されている。図２において、１６ａは上記後側壁１１ｂの左右両側部分に穿設された（上記連結ピンを挿通するための）挿通穴である。
【００１８】
上記蓋体２は、上記容器本体１の上面を蓋する本体部１７と、この本体部１７の後端部から垂設される連結部１８とからなり、上記本体部１７の前端部から、上記容器本体１の係合凸部１４ａに着脱自在に係合する係合爪２ａが垂下している（図５参照）。また、上記本体部１７の前端部には、上記係合爪２ａの左右両側部分であって、上記容器本体１のコ字状壁１２の左右両側壁１２ｂに対応する部分から左右一対のガイド凸部１９が突設されており、その下端面は、上記左右両側壁１２ｂの傾斜面１２ｃに摺接する（すなわち、それ自体の後端から前方に向かって上り傾斜状に傾斜する）傾斜面（被傾斜面）１９ａに形成されている（図６参照）。
【００１９】
上記化粧皿３は、略四角形の皿状体に形成されており、その前後幅は上記容器本体１の化粧皿収容凹部１ａの前後幅より短く形成されている。そして、上記容器本体１の底壁１５上に化粧皿３を収容，固定した状態では、上記容器本体１の前側壁１１ａと化粧皿３との間に上記隙間が形成される（すなわち、上記切欠き穴部１５ａが露呈する）ようにしている。
【００２０】
この実施の形態では、上記化粧皿３が容器本体１の化粧皿収容凹部１ａの底面に接着，固定されているが、これに限定されるものではなく、例えば、上記化粧皿３の左右両側面に係合部（図示せず）を形成し、上記容器本体１の化粧皿収容凹部１ａの左右両側面に、上記係合部に着脱自在に係合する被係合部（図示せず）を形成し、これら両係合部を係合させることにより、上記化粧皿収容凹部１ａに化粧皿３が着脱自在に収容，固定されるようにしてもよい。
【００２１】
上記の構成において、閉蓋状態では、上記容器本体１の係合凸部１４ａと蓋体２の係合爪２ａとが係合し、上記容器本体１のコ字状壁１２の左右両側壁１２ｂの傾斜面１２ｃに蓋体２の両ガイド凸部１９の傾斜面１９ａが当接している（図５および図６参照）。この閉蓋状態から開蓋する場合には、上記容器本体１の前側壁１１ａを後方に押圧して後方に撓ませることを行う。これにより、上記容器本体１の係合凸部１４ａが蓋体２の係合爪２ａから離間するようにして後方に移動し、上記蓋体２の両ガイド凸部１９が上記コ字状壁１２の左右両側壁１２ｂ上を摺動しながら斜め上向きに移動し、これにより、上記係合が外れるとともに上記蓋体２が少し上方に回動して開蓋する（図７参照）。
【００２２】
上記のように、この実施の形態では、上記容器本体１の前側壁１１ａを後方に押圧して切欠き穴部１５ａ内に撓ませることにより、上記容器本体１の係合凸部１４ａと上記蓋体２の係合爪２ａとの係合を外して開蓋することができるため、従来用いていた開蓋用のフックピースを省略することができる。したがって、開蓋のための構造が簡単化し、成形による寸法誤差が生じにくくなる。そのため、上記係合が強固になりすぎて開蓋しにくいものや、緩すぎて簡単に開蓋しすぎるものができなくなり、上記係合凸部１４ａ，係合爪２ａが折損，破損等したり、不用意に開蓋して化粧料で周囲の他物等を汚したりするという事態を招かなくなる。しかも、開蓋用のフックピースを省略することができるため、部品点数を少なくすることができ、在庫管理等の管理面が簡素化する。しかも、上記容器本体１の底壁１５の前端部に切欠き穴部１５ａを形成するという簡単な構造により、上記容器本体１の前側壁１１ａに可撓性を持たせることができる。
【００２３】
図８および図９は本発明の化粧料容器の他の実施の形態を示している。この実施の形態では、上記化粧料容器は、合成樹脂製の容器本体２１と、この容器本体２１の上面を蓋する合成樹脂製の蓋体２２と、上記容器本体２１に収容される合成樹脂製の中枠２３（この実施の形態では、この中枠２３は上記容器本体２１の一部を構成している）と、内部にファンデーション等の化粧料２５が充填された金属製もしくは合成樹脂製の化粧皿２４とで構成されている。
【００２４】
上記容器本体２１は、図１０に示すように、平面視略四角形状の皿状体に形成されており、その上面には、上記中枠２３を着脱自在に載置，収容する平面視略四角形状の中枠収容凹部２１ａ（図９参照）が形成されている。すなわち、上記皿状体を構成する略四角形環状の周側壁３１の内部空間が上記中枠収容凹部２１ａに形成されている。
【００２５】
上記周側壁３１のうちの前側壁（板状体）３１ａは、図１１に示すように、その左右方向中央部分の上側部分が後側に向かって平面視略コ字状に凹入形成されており、このコ字状壁３２と、このコ字状壁３２の下端開口を閉塞する底壁３３とで、その内周部に、上記前側壁３１ａの前面およびこれに続く上面が開口する前側切欠き凹部３４が切欠き形成されている。そして、上記前側切欠き凹部３４の奥面（すなわち、上記底壁３３の後端部から立設される、上記コ字状壁３２のコ字状の後側壁３２ａの外側面）に、上記蓋体２２の係合爪２２ａ（図９参照）に着脱自在に係合する係合凸部３４ａが突設されている（図５参照。なお、図５は上記［図１〜図７に示す］実施の形態を説明するために用いた図であるため、符号は上記実施の形態で用いた符号になっている。以下、図６および図７も同様である）。
【００２６】
また、上記コ字状壁３２のコ字状の左右両側壁３２ｂは、その上端面が、その前端（すなわち、上記前側壁３１ａの上端面後端）から後方に向かって下り傾斜状に傾斜する傾斜面３２ｃに形成されており、この傾斜面３２ｃが閉蓋時に上記蓋体２２の傾斜面３９ａに摺接している（図６参照）。
【００２７】
上記容器本体３１の底壁（支受板）３５は、上記中枠２３の化粧皿収容凹部２３ａに対応する部分に形成されており、その前側部分が、その左右方向の全幅にわたって、かつ上記前側壁３１ａの後側面との間で切欠き形成されており、この切欠き穴部３５ａにより上記前側壁３１ａが可撓性を持ち、後方に（上記切欠き穴部３５ａ内に）撓みうるようにしている。また、上記切欠き穴部３５ａは、上記容器本体２１に中枠２３を収容，固定したときに、上記容器本体２１の前側壁３１ａと中枠２３との間に形成される隙間に対応した部分が露呈している。
【００２８】
また、上記周側壁３１は、その後側壁３１ｂの左右方向中央部分が前後方向に貫通状に切欠き形成されており、この（前後両側面および上下両側面が開口する）後側切欠き部３６に、上記蓋体２２の後端部から垂設される連結部３８が連結ピン６（図９参照）によりヒンジ連結されている。図１０において、３６ａは上記後側壁３１ｂの左右両側部分に穿設された連結ビン挿通穴である。
【００２９】
上記蓋体２２は、上記容器本体２１の上面を蓋する本体部３７と、この本体部３７の後端部から垂設される連結部３８とからなり、上記本体部３７の前端部から、上記容器本体２１の係合凸部３４ａに着脱自在に係合する係合爪２２ａが垂下している（図５参照）。また、上記本体部３７の前端部には、上記係合爪２２ａの左右両側部分であって、上記容器本体２１のコ字状壁３２の左右両側壁３２ｂに対応する部分から左右一対のガイド凸部３９が突設されており、その下端面は、上記左右両側壁３２ｂの傾斜面３２ｃに摺接する（すなわち、それ自体の後端から前方に向かって上り傾斜状に傾斜する）傾斜面（被傾斜面）３９ａに形成されている（図６および図１２参照）。
【００３０】
上記中枠２３は、略四角形状の枠状体に形成されており、上記容器本体２１の中枠収容凹部２１ａにその内周面に沿って着脱自在に収容される周側壁４０と、この周側壁４０の下端開口を閉塞する底壁４１と、この底壁４１に立設され上記周側壁４０の内部空間を前後に仕切る仕切り壁４１ａとからなっている。そして、上記仕切り壁４１ａの後側に、上記化粧皿２４を収容する化粧皿収容凹部（化粧料収容部）２３ａ（図１３参照）が形成され、前側に、パフ等の小物（図示せず）を収容する小物収容凹部２３ｂが形成されている。
【００３１】
上記周側壁４０のうちの後側壁４０ａは、図１４に示すように、その上端部（後述する前側切欠き凹部４２の天井壁）４２ａを残した状態で、その左右方向の全幅にわたって切欠き形成されているとともに、この前側切欠き凹部４２の奥壁の左右方向中央部分が、前後貫通状に切欠き形成されており、この後側切欠き凹部４３が上記容器本体２１の後側切欠き凹部３６に開口している（図９参照）。
【００３２】
また、上記前側切欠き凹部４２の内部であって、上記後側切欠き凹部４３の前側位置には、上記底壁４１から可撓板４４が立設されており、後方に（すなわち、上記後側切欠き凹部４３の内部に）撓みうるようにしている。この可撓板４４の上端部には、その左右方向の全幅にわたって、上記化粧皿２４の後側鍔部４９ａを載置しうる突条４４ａが突設されている。そして、この突条４４ａ（すなわち、可撓板４４の上端部）と上記前側切欠き凹部４２の天井壁４２ａとの間に、上記化粧皿２４の後側鍔部４９ａを挿入しうる挿入隙間が設けられており、かつ、上記突条４４ａの前端面が上記天井壁４２ａの前端面と略面一になるように形成されている。
【００３３】
一方、上記仕切り壁４１ａの左右方向中央部には、図１５に示すように、その上面から手指挿入用凹部４６が前後貫通状に切欠き形成されている。また、上記仕切り壁４１ａの（手指挿入用凹部４６の）左右両側部分にはそれぞれ、その後側面の上端部にその左右方向の全幅にわたって上下一対の突条４７が突設されており、これら上下両突条４７間に形成される係合凹部（係合部）４７ａが、上記挿入隙間に相対向する位置に位置決めされており、かつ、上記係合凹部４７ａに化粧皿４の前側鍔部４９ｂが着脱自在に係合するようにしている。
【００３４】
上記化粧皿２４は、略四角形の皿状体に形成されており、その内部に十字状の仕切り壁４８が突設され，この仕切り壁４８で区切られた４つの化粧料収容凹部２４ａにそれぞれ、種類の異なった化粧料２５が充填されている。また、上記化粧皿２４には、その上端部外周面の前後両側部分にその左右方向の全幅にわたって前後一対の鍔部４９ａ，４９ｂが突設されており、後側鍔部４９ａが上記挿入隙間（すなわち、上記可撓板４４の上側の隙間）に挿入され、前側鍔部（被係合部）４９ｂが上記仕切り壁４１ａの係合凹部４７ａに着脱自在に係合するようにしている。このような（上記仕切り壁４１ａと可撓板４４とに載置，支受された）化粧皿２４は、中枠２３の底壁４１との間に隙間を設けるようにしている。
【００３５】
この実施の形態では、上記化粧皿２４が中枠２３の化粧皿収容凹部２３ａの底面に接着，固定されているが、これに限定されるものではなく、例えば、上記化粧皿２４の左右両側面に係合部（図示せず）を形成し、上記中枠２３の化粧皿収容凹部２３ａの左右両側面に、上記係合部に着脱自在に係合する被係合部（図示せず）を形成し、これら両係合部を係合させることにより、上記化粧皿収容凹部２３ａに化粧皿２４が着脱自在に収容，固定されるようにしてもよい。
【００３６】
また、この実施の形態では、上記中枠２３の左右両側面に係合部（図示せず）を形成し、上記容器本体２１の中枠収容凹部２１ａの左右両側面に、上記係合部に着脱自在に係合する被係合部（図示せず）を形成し、これら両係合部を係合させることにより、上記中枠収容凹部２１ａに中枠２３が着脱自在に位置決め，固定されているが、例えば、上記中枠２３が容器本体２１の中枠収容凹部２１ａの底面に接着，固定されていてもよい。
【００３７】
上記の構成において、上記容器本体２１の中枠収容凹部２１ａに収容した中枠２３の化粧皿収容凹部２３ａに化粧皿２４を収容する場合には、まず、上記化粧皿収容凹部２３ａ上に化粧皿２４を位置決めし（図１３参照）、その状態で化粧皿２４を下降させながらその後端部を下方に傾けるようにして斜め姿勢にし、化粧皿２４の後側鍔部４９ａを上記挿入隙間に挿入して上記後側鍔部４９ａを可撓板４４の突条４４ａ上に載置するとともに、化粧皿２４を奥側に押圧して可撓板４４を奥側に撓ませながら、化粧皿２４を水平姿勢に移行させて化粧皿２４の前側鍔部４９ｂを仕切り壁４１ａの凹部４７ａに係合させることを行う。これにより、可撓板４４の弾性力で可撓板４４が元の姿勢（直立姿勢）に戻り、上記係合状態が保持される。この状態では、化粧皿２４と可撓板４４との間の隙間が上記後側鍔部４９ａで覆われて外部からは見えない。
【００３８】
一方、上記化粧皿収容凹部２３ａから化粧皿２４を取り出す場合には、上記仕切り壁４１ａの手指挿入用凹部４６から手指を挿入し、手指で上記化粧皿２４の前側鍔部４９ｂを斜め後方に押し上げながら、上記化粧皿２４の後側鍔部４９ａを上記挿入隙間から抜き出すことを行う。
【００３９】
また、閉蓋状態では、上記容器本体２１の係合凸部３４ａと蓋体２２の係合爪２２ａとが係合し、上記容器本体２１のコ字状壁３２の左右両側壁３２ｂの傾斜面３２ｃに蓋体２２の両ガイド凸部３９の傾斜面３９ａが当接している（図５および図６参照）。この閉蓋状態から開蓋する場合には、上記容器本体２１の前側壁３１ａを後方に押圧して後方に撓ませることを行う。これにより、上記容器本体２１の係合凸部３４ａが蓋体２２の係合爪２２ａから離間するようにして後方に移動し、上記蓋体２２の両ガイド凸部３９が上記コ字状壁３２の左右両側壁３２ｂ上を摺動しながら斜め上向きに移動し、これにより、上記係合が外れるとともに上記蓋体２２が少し上方に回動して開蓋する（図７参照）。
【００４０】
上記のように、この実施の形態でも、上記実施の形態と同様の作用・効果を奏する。しかも、この実施の形態では、上記化粧皿収容凹部２３ａに化粧皿２４を収容した状態で、可撓板４４と化粧皿２４との間に形成される隙間を上記後側鍔部４９ａで覆い隠すことができるため、上記隙間に化粧料２５や塵芥等が溜まって付着することがなくなり、その周囲が汚染されたり、非衛生的になったりすることがない。しかも、上記隙間に侵入した化粧料２５や塵芥等が上記隙間に付着して固まることもなく、上記化粧皿収容凹部２３ａから化粧皿２４を取り外す際に、小さな力で確実に取り外すことができる。しかも、上記隙間が見えないため、見た目がきれいであり、購買時に顧客の購買意欲が向上する。しかも、上記化粧皿２４の前側鍔部４９ｂを利用し、上記仕切り壁４１ａと化粧皿２４との当接面をも覆い隠すことができる。しかも、上記化粧皿２４と化粧皿収容凹部２３ａの底面との間に隙間が設けられているため、上記化粧料容器を床上等に落下等させて容器本体２１の底壁３５を床上等に衝突させてしまっても、上記隙間にある空気層の緩衝作用で化粧皿２４や化粧料２５を保護することができ、化粧皿２４や化粧料２５が破損したり、損傷したりすることがない。
【００４１】
図１６は本発明の化粧料容器のさらに他の実施の形態を示している。この実施の形態では、図８〜図１５に示す実施の形態において、上記容器本体２１の前側壁３１ａの左右両側部（コ字状壁３２より外側の部分）の少なくとも一方に、上記前側壁３１ａの上端面から下端縁まで一直線状に延びる一条の切欠き部３１ｃが前後方向に貫通状に形成されており、この切欠き部３１ｃにより上記前側壁３１ａが可撓性を持ち、後方に撓みうるようにしている。したがって、この実施の形態では、上記容器本体３１の底壁３５に切欠き穴部３５ａが形成されていないし、上記前側壁３１ａと中枠２３との間には、上記前側壁３１ａが撓みうる隙間が形成されている。
【００４２】
それ以外の部分は、図８〜図１５に示す実施の形態と同様であり、同様の部分には同じ符号を付している。この実施の形態でも、、図８〜図１５に示す実施の形態と同様の作用・効果を奏する。なお、図１〜図７に示す実施の形態においても、この実施の形態と同様に、上記容器本体２１の前側壁３１ａに切欠き部３１ｃを形成してもよい。
【００４３】
なお、上記各実施の形態において、上記前側壁１１ａ，３１ａを薄肉に形成することにより、上記前側壁１１ａ，３１ａに可撓性を持たせて後方に撓みうるようにしてもよい。この場合には、上記容器本体１，２１の底壁１５，３５に切欠き穴部１５ａ，３５ａを形成する必要はないが、上記前側壁１１ａ，３１ａと化粧皿３もしくは中枠２３との間に、上記前側壁１１ａ，３１ａが撓みうる隙間を形成する必要がある。
【００４４】
また、図８〜図１５に示す実施の形態および図１６に示す実施の形態では、化粧皿２４と化粧皿収容凹部２３ａとの間に隙間を設けているが、これに限定するものではなく、化粧皿２４を化粧皿収容凹部２３ａの底面上に載置してもよい。また、図１〜図７に示す実施の形態において、化粧皿３と化粧皿収容凹部１ａとの間に隙間を設けてもよい。
【００４５】
また、図８〜図１５に示す実施の形態および図１６に示す実施の形態では、上記中枠２３に化粧皿収容凹部２３ａを形成しているが、上記容器本体２１および中枠２３に化粧皿２４収容用の貫通孔を穿設し、この貫通孔に化粧皿２４を着脱自在に収容してもよいし、上記化粧皿収容凹部２３ａに直接化粧料２５を収容してもよい。図１〜図７に示す実施の形態についても同様である。また、図８〜図１５に示す実施の形態および図１６に示す実施の形態において、上記容器本体２１に中枠２３を一体成形してもよい。
【００４６】
また、図８〜図１５に示す実施の形態および図１６に示す実施の形態では、上記中枠２３の後側壁４０ａに両切欠き凹部４２，４３や可撓板４４を設けているが、前側壁に両切欠き凹部４２，４３や可撓板４４を設けてもよい。また、図８〜図１５に示す実施の形態および図１６に示す実施の形態では、可撓板４４を前側切欠き凹部４２内に立設しているが、前側切欠き凹部４２の近傍であれば、外部に立設してもよい。
【図面の簡単な説明】
【００４７】
【図１】本発明の化粧料容器の一実施の形態を示す斜視図である。
【図２】容器本体の断面図である。
【図３】上記容器本体の要部の平面図である。
【図４】上記容器本体の要部の断面図である。
【図５】閉蓋状態を示す要部の断面図である。
【図６】閉蓋状態を示す他の要部の断面図である。
【図７】上記化粧料容器の作用を示す断面図である。
【図８】本発明の化粧料容器の他の実施の形態を示す斜視図である。
【図９】上記化粧料容器の断面図である。
【図１０】容器本体の斜視図である。
【図１１】上記容器本体の要部の斜視図である。
【図１２】蓋体の要部の斜視図である。
【図１３】上記化粧料容器の分解斜視図である。
【図１４】上記中枠の要部の斜視図である。
【図１５】上記中枠の他の要部の斜視図である。
【図１６】本発明の化粧料容器のさらに他の実施の形態を示す斜視図である。
【図１７】従来例を示す斜視図である。
【符号の説明】
【００４８】
１  容器本体
１ａ  化粧皿収容凹部
２  蓋体
２ａ  係合爪
１４ａ  係合凸部
【図１】
2007185279.tif 000003
【図２】
2007185279.tif 000004
【図３】
2007185279.tif 000005
【図４】
2007185279.tif 000006
【図５】
2007185279.tif 000007
【図６】
2007185279.tif 000008
【図７】
2007185279.tif 000009
【図８】
2007185279.tif 000010
【図９】
2007185279.tif 000011
【図１０】
2007185279.tif 000012
【図１１】
2007185279.tif 000013
【図１２】
2007185279.tif 000014
【図１３】
2007185279.tif 000015
【図１４】
2007185279.tif 000016
【図１５】
2007185279.tif 000017
【図１６】
2007185279.tif 000018
【図１７】
2007185279.tif 000019